(57)【要約】【課題】シートと使用者の顔とで形成される内部空間の密閉性を向上できるマスクを提供すること。【解決手段】マスク１は、一端縁１１で互いに接合される平板状の一対のシート１０と、シート１０の他側縁１２から延出する平板状且つ略半円弧形状の一対の耳掛け部２０と、を備える。シート１０の一端縁１１は、略円弧状に形成され、使用者の顔に装着された状態では、耳掛け部２０は、各々、使用者の耳に掛けられ、シート１０は、一端縁１１側で使用者の鼻及び顎に係止され且つ他側縁１２側で使用者の頬骨に係止されるとともに、使用者の口唇を所定距離離れて覆う。マスク１は、シート１０の使用者の鼻に係止される部分１３から延出する平板状の一対の延出部３０を更に備え、使用者の顔に装着された状態では、延出部３０は、各々、使用者の顔を、鼻から頬骨に亘って覆う。【選択図】図２
2007185301.tif 000002
【特許請求の範囲】
【請求項１】
一端縁で互いに接合される平板状の一対のシートと、これらシートの他側縁から延出する平板状且つ略半円弧形状の一対の耳掛け部と、を備え、
前記シートの一端縁は、前記シートの他端縁とは反対側に延出する略円弧状である顔装着用のマスクであって、
前記シートの一端縁の一端から前記他端縁の一端に亘って延出する平板状の一対の延出部を更に備えることを特徴とするマスク。
【請求項２】
前記延出部の外周は、前記延出部が延出する延出方向に凸の少なくとも１つの曲線を含む請求項１記載のマスク。
【請求項３】
前記延出部の外周は、前記延出方向の反対方向である反延出方向に凸の曲線を更に含み、前記反延出方向に凸の曲線と、前記延出方向に凸の曲線と、が滑らかに連結された形状である請求項２記載のマスク。
【請求項４】
前記延出部は、前記シートの一端縁の一端から前記他端縁の一端に亘って延出するよう、前記シートに接合されている請求項１から３いずれか記載のマスク。
【発明の詳細な説明】
【技術分野】
【０００１】
本発明は、使用者の顔に装着されるマスクに関する。
【背景技術】
【０００２】
従来から、使用者の顔に装着されるマスク、とりわけ超立体マスクと称されるマスクとして、以下のような構成が知られている（特許文献１参照）。
【０００３】
図８は、従来例に係るマスク１００の平面図である。図９は、図８のマスク１００の立体状態を示す斜視図である。
マスク１００は、一端縁１１１で互いに接合される平板状の一対のシート１１０と、これらシート１１０の他端縁１１２から延出する平板状且つ略半円弧形状の一対の耳掛け部１２０と、を備える。このシート１１０の一端縁１１１は、シート１１０の他端縁１１２とは反対側に膨出する略円弧状である。
【０００４】
図１０は、図９のマスク１００を使用者の顔に装着した状態を示す斜視図である。図１１は、図１０の上面を示す平面図である。
マスク１００が使用者の顔に装着された状態では、耳掛け部１２０は、各々、使用者の耳に掛けられ、シート１１０は、一端縁１１１側で使用者の鼻及び顎に係止され且つ他端縁１１２側で使用者の頬骨に係止される。
【０００５】
ここで、このマスク１００によれば、シート１１０の一端縁１１１を略円弧状に形成したので、シート１１０が使用者の鼻及び顎に係止されて使用者の口唇を所定距離離れて覆う。これにより、使用者の口許にシート１１０が当接しないから、使用者は快適に呼吸や会話等を行うことができ、口紅やリップクリーム等がマスクに付着してしまうという事態の発生を抑制できる。
【０００６】
また、シート１１０及び耳掛け部１２０を平板状に構成したので、使用者の顔に装着されていない状態では嵩張らないから、快適に携帯できる。
【特許文献１】特開平７−２７５３８４号公報
【発明の開示】
【発明が解決しようとする課題】
【０００７】
しかしながら、このマスク１００によれば、使用者の顔に装着された状態では、一端縁１１１側で使用者の鼻に係止され且つ他端縁１１２側で使用者の頬骨に係止されるので、次のような問題がある。
使用者の鼻及び頬骨が、一般に、これら鼻と頬骨との間に介在する部位に比べて、相対的に隆起しているため、鼻及び頬骨に係止されたシート１１０は、鼻と頬骨との間に介在する部位から離隔される（図１１の離隔部位２００）。このため、シート１１０と使用者の顔とで形成される内部空間を充分に密閉できない。
【０００８】
しかも、上述したシート１１０と、鼻と頬骨との間に介在する部位と、の間から、高湿度の呼気が漏出するために、例えば、使用者の着用する眼鏡が曇りやすいといった問題もある。
【０００９】
そこで、本発明は、シートと使用者の顔とで形成される内部空間の密閉性を向上できるマスクを提供することを目的とする。
【課題を解決するための手段】
【００１０】
本発明者らは、シートの使用者の鼻に係止される部分から延出する延出部を設けることによって、使用者の鼻から頬骨に亘って顔を覆うことができることを見出し、本発明を完成するに至った。
【００１１】
具体的には、本発明は、以下のようなものを提供する。
【００１２】
（１）  一端縁で互いに接合される平板状の一対のシートと、これらシートの他側縁から延出する平板状且つ略半円弧形状の一対の耳掛け部と、を備え、
前記シートの一端縁は、前記シートの他端縁とは反対側に延出する略円弧状である顔装着用のマスクであって、
前記シートの一端縁の一端から前記他端縁の一端に亘って延出する平板状の一対の延出部を更に備えることを特徴とするマスク。
【００１３】
（１）の発明によれば、マスクが使用者の顔に装着された状態では、耳掛け部の各々は使用者の耳に掛けられ、シートは、一端縁側で使用者の鼻及び顎に係止され且つ他端縁側で使用者の頬骨に係止される。また、シートの一端縁を略円弧状に形成したので、使用者の顔に装着された状態では、使用者の鼻及び顎に係止されて使用者の口唇を所定距離離れて覆う。
【００１４】
ここで、シートの一端縁の一端から他端縁の一端に亘って延出する一対の延出部を更に設けたので、上記一端縁の一端を使用者の鼻に係止させると、これら延出部の各々が、使用者の鼻から頬骨に亘って顔を覆う。これにより、延出部が鼻から頬骨に亘って顔に当接するから、シートと使用者の顔とで形成される内部空間の密閉性を向上できる。
【００１５】
しかも、シート、耳掛け部、及び延出部を総て平板状に構成したので、使用者の顔に装着されていない状態では嵩張らないから、快適に携帯できる。
【００１６】
また、延出部が鼻から頬骨に亘って顔に当接するので、シートと、鼻と頬骨との間に介在する部位と、の間からの呼気の漏出という従来の問題を解決できる。このため、例えば、使用者の着用する眼鏡が曇るといった事態の発生を抑制できる。
【００１７】
（２）  前記延出部の外周は、前記延出部が延出する延出方向に凸の少なくとも１つの曲線を含む（１）記載のマスク。
【００１８】
延出方向に尖形部や角部等を有する形状に延出部を構成すると、マスクが顔に装着された際、この角部が顔表面に点接触して触突するために、使用者に不快感を与える場合がある。
ここで、（２）の発明によれば、延出部の外周を、延出方向に凸の少なくとも１つの曲線を含む構成としたので、マスクが顔に装着された際、延出部外周の曲線部分が顔表面に線接触するため、使用者に与える不快感を軽減できる。
【００１９】
また、延出方向に点接触部位（例えば、尖形部、角部）を形成しない限りにおいて、延出部の外周が複数の曲線を含む構成でもよい。複数の曲線を適宜組み合わせることで、多様な形状の延出部を構成でき、例えば、外観上の美感や興趣に優れた形状の延出部とすることもできる。
【００２０】
ここで、「延出方向」とは、マスクの装着状態で換言すれば、使用者の顔の上部方向に相当する。
【００２１】
（３）  前記延出部の外周は、前記延出方向の反対方向である反延出方向に凸の曲線を更に含み、この反延出方向に凸の曲線と、前記延出方向に凸の曲線と、が滑らかに連結された形状である（２）記載のマスク。
【００２２】
（３）の発明によれば、延出部の外周を、反延出方向に凸の曲線と延出方向に凸の曲線とが滑らかに連結された形状としたので、マスクが顔に装着された際、延出部が顔表面に線接触するため、使用者に与える不快感を軽減できる。
【００２３】
また、反延出方向に凸の曲線を含んで構成できるので、更に多様な形状の延出部を構成でき、例えば、外観上の美感や興趣に更に優れた形状の延出部とすることもできる。
【００２４】
ここで、「滑らかに連結された」とは、曲率が連続的に変化するように連結されたことを指し、具体的には、連結された部分に尖形部や角部等が形成されないよう連結されたことを指す。
【００２５】
なお、反延出方向に凸の曲線同士が連結されると、延出方向に尖形部が形成されるため、好ましくない。
【００２６】
（４）前記延出部は、前記シートの一端縁の一端から前記他端縁の一端に亘って延出するよう、前記シートに接合されている（１）から（３）いずれか記載のマスク。
【００２７】
延出部が当接する部位は、一般に、目の縁に近傍する敏感な部位であるため、延出部には、シートと異なる特性（例えば、柔軟性に優れる）が求められる場合がある。
そこで、（４）の発明によれば、延出部をシートと別体としたので、シートと異なる所望の特性を与える形状や組成の延出部を作製できる。ただし、必ずしも、延出部がシートと異なる特性を備えるものである必要はない。
【発明の効果】
【００２８】
本発明によれば、シートの一端縁の一端から他端縁の一端に亘って延出する一対の延出部を更に設けたので、上記一端縁の一端を使用者の鼻に係止させると、これら延出部の各々が、使用者の鼻から頬骨に亘って顔を覆う。これにより、延出部が鼻から頬骨に亘って顔に当接するから、シートと使用者の顔とで形成される内部空間の密閉性を向上できる。
しかも、シート、耳掛け部、及び延出部を総て平板状に構成したので、使用者の顔に装着されていない状態では嵩張らないから、快適に携帯できる。
また、延出部が鼻から頬骨に亘って顔に当接するので、シートと、鼻と頬骨との間に介在する部位と、の間からの呼気の漏出という従来の問題を解決できる。このため、例えば、使用者の着用する眼鏡が曇るといった事態の発生を抑制できる。
【発明を実施するための最良の形態】
【００２９】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００３０】
＜第１実施形態＞
［全体構成］
図１は本発明の第１実施形態に係るマスク１の平面図である。図２は、図１のマスク１の立体状態を示す斜視図である。
【００３１】
マスク１は、一端縁１１で互いに接合される平板状の一対のシート１０と、これらシート１０の他端縁１２から延出する平板状且つ略半円弧形状の一対の耳掛け部２０と、を備える。シート１０の一端縁１１は、シート１０の他端縁１２とは反対側に延出する略円弧状である。
【００３２】
耳掛け部２０の各々は、本実施形態では、他端縁１２でシート１０の各々に接合され、この他端縁１２から延出している。シート１０と耳掛け部２０との接合部位１５が高剛性となるから、シート１０からの耳掛け部２０の垂れ下がりが抑制され、耳掛け部２０同士の絡み合いを抑制できる。
また、シート１０と耳掛け部２０との接合を溶着によって行う場合、外側表面の繊維を溶融させることが好ましい。これにより、接合部位の外表面が平滑となるため、例えば、マスクを携帯するとき、重畳されたマスク同士が絡み合うことを抑制できる。
【００３３】
ただし、耳掛け部２０は、他端縁１２から延出していれば、シート１０の一部分として一体的に構成してもよい。
【００３４】
マスク１は、シート１０の使用者の鼻に係止される部分１３（一端縁１１の一端）から他端縁１２の一端に亘って延出する平板状の一対の延出部３０を更に備える。延出部３０の外周は、延出方向に凸の曲線３１と、反延出方向に凸の曲線３２と、が滑らかに連結された形状である。
延出部３０は、本実施形態では、シート１０の一部分として一体的に構成されている。
【００３５】
〔シート〕
シート１０は、熱可塑性を有し、特に限定されないが、熱可塑性合成繊維を含有する不織布で構成される。これにより、耳掛け部２０は、他端縁１２でシート１０と熱融着される。
【００３６】
シート１０は、例えば、ポリエチレン／ポリプロピレンの芯鞘繊維、ポリエチレン／ポリエチレンテレフタレートの芯鞘繊維で、スルーエア法、ポイントボンド法等により作製され、目付けが５０ｇ／ｍ２以上１００ｇ／ｍ２以下である。なお、剛軟度は、ＪＩＳ  Ｌ１０９６：１９９９一般織物試験方法の８．９１．１に記載された剛軟性Ａ法（４５度カンチレバー法）により、測定される。
このシート１０は、後述するカンチレバー法によって測定される剛軟度が、１００ｍｍ以上２００ｍｍ以下である。このようなシート１０は、顔に装着された状態における立体形状が保持される点で、好ましい。
【００３７】
また、シート１０は、顔に装着された状態における立体形状がより保持される点で、少なくとも耳掛け部２０より低伸縮性に構成されることが好ましい。ここで、良好な肌触り感を損なわないよう、適度の柔軟性を有することが好ましい。
【００３８】
例えば、シートの外表面に、繊維が相対的に密である凹部が間欠的に設けられた構成が挙げられる。この構成によれば、凹部は繊維が相対的に密であるため、この凹部を設けたことでシートの伸縮性が低下する。一方、間欠的に設けられた各凹部の間には、柔軟性が保持された部位が介在するため、適度の柔軟性を有する。
【００３９】
〔耳掛け部〕
耳掛け部２０は、熱可塑性を有し、特に限定されないが、例えば、熱可塑性合成繊維を含有する不織布で構成される。これにより、耳掛け部２０は、他端縁１２でシート１０と熱融着される。
【００４０】
また、耳掛け部２０は、使用者の耳に痛みを与える事態を抑制できる点で、弾性伸縮可能に構成されることが好ましい。
このような耳掛け部としては、例えば、非弾性的に伸長可能な伸長性繊維からなる伸長層（例えば、プロピレン連続繊維が互いに溶着された不織布）と、弾性伸縮可能な弾性伸縮性繊維からなる弾性層（例えば、熱可塑性合成繊維のエラストマーやウレタン等からなる弾性糸を使用した不織布）と、が積層された構成が挙げられる。
【００４１】
〔延出部〕
延出部３０は、本実施形態では、シート１０と一体で構成されているため、シート１０と同様の構成である。
【００４２】
延出部３０の面積は、小さすぎると、延出部３０が使用者の鼻から頬骨に亘って顔に当接できない場合がある一方、大きすぎると、例えば延出部３０が使用者の目まで覆ってしまう場合があることから、５ｃｍ２以上２０ｃｍ２以下であることが好ましい。より好ましくは、７ｃｍ２以上１５ｃｍ２以下である。
【００４３】
［使用方法］
図３は、図２のマスク１を使用者の顔に装着した状態を示す斜視図である。図４は、図３の上面を示す平面図である。
【００４４】
マスク１は、以下のようにして、使用者の顔に装着される。
まず、シート１０は、一端縁１１側で使用者の鼻及び顎に係止され、且つ、他端縁１２側で使用者の頬骨に係止される。これに伴って、シート１０は、使用者の口唇を所定距離離れて覆う。
延出部３０の各々は、部分１３から延出し、鼻から頬骨に亘って顔を覆う。
そして、耳掛け部２０が、各々、使用者の耳に掛けられることで、マスク１は使用者の顔に装着される。
【００４５】
本実施形態によれば、以下のような作用効果が得られる。
（Ａ）シート１０の使用者の鼻に係止される部分１３から延出する一対の延出部３０を更に設けたので、使用者の顔に装着された状態では、これら延出部３０の各々が、使用者の鼻から頬骨に亘って顔を覆う。これにより、延出部３０が鼻から頬骨に亘って顔に当接するから、シート１０と使用者の顔とで形成される内部空間の密閉性を向上できる。
【００４６】
（Ｂ）シート１０、耳掛け部２０、及び延出部３０を総て平板状に構成したので、使用者の顔に装着されていない状態では嵩張らないから、快適に携帯できる。
【００４７】
（Ｃ）延出部３０が鼻から頬骨に亘って顔に当接するので、シート１０と、鼻と頬骨との間に介在する部位と、の間からの呼気の漏出という従来の問題を解決できる。このため、例えば、使用者の着用する眼鏡が曇るといった事態の発生を抑制できる。
【００４８】
（Ｄ）延出部３０の外周を、反延出方向に凸の曲線３２と延出方向に凸の曲線３１とが滑らかに連結された形状としたので、マスク１が顔に装着された際、延出部３０が顔表面に線接触するため、使用者に与える不快感を軽減できる。
【００４９】
＜第２実施形態＞
図５は、本発明の第２実施形態に係るマスク１Ａの立体状態を示す斜視図である。
【００５０】
本実施形態では、シート１０Ａ及び延出部３０Ａの構造が、第１実施形態と異なる。
即ち、平板状且つ略半円弧形状の延出部３０Ａは、シート１０Ａと別体に形成される。
【００５１】
延出部３０Ａは、部分１３（一端縁１１の一端）から他端縁１２の一端に亘って延出するよう、シート１０Ａに接合されている。具体的には、延出部３０Ａとシート１０Ａとが、第２の接合部位４０で接合されている。シート１０Ａに接合された延出部３０の外周は、延出方向に凸の曲線３１Ａと、反延出方向に凸の曲線３２Ａと、が滑らかに連結された形状となっている。
【００５２】
延出部３０Ａは、熱可塑性を有し、特に限定されないが、熱可塑性合成繊維を含有する不織布で構成される。これにより、延出部３０Ａは、シート１０Ａと熱融着される。
【００５３】
延出部３０Ａは、例えば、ポリエチレン／ポリプロピレンの芯鞘繊維、ポリエチレン／ポリエチレンテレフタレートの芯鞘繊維で、スルーエア法、ポイントボンド法等により作製され、目付けが５０ｇ／ｍ２以上１００ｇ／ｍ２以下である。
【００５４】
延出部３０Ａの剛軟度は、小さすぎると、延出部３０Ａが変形して顔から離隔して当接しない場合がある一方、大きすぎると、延出部３０Ａが当接した際に強い違和感を使用者に与える場合があることから、例えば前述した４５度カンチレバー法によって測定される剛軟度が、１００ｍｍ以上２００ｍｍ以下であることが好ましい。
【００５５】
本実施形態によれば、前述した（Ａ）〜（Ｄ）に加えて、次の作用効果が得られる。
（Ｅ）延出部３０Ａが当接する部位は、一般に、目の縁に近傍する敏感な部位であるため、延出部には、シートと異なる特性（例えば、柔軟性に優れる）が求められる場合がある。そこで、本実施形態によれば、延出部３０Ａをシート１０Ａと別体としたので、シート１０Ａと異なる所望の特性を与える形状や組成の延出部３０Ａを作製できる。
【００５６】
［変形例］
なお、本発明は前記実施形態に限定されるものではなく、本発明の目的を達成できる範囲での変形、改良等は本発明に含まれるものである。例えば、以下のような変形例が挙げられる。
【００５７】
〔変形例１〕
図６は、本発明の一変形例に係るマスク１Ｂの立体構造を示す斜視図である。
【００５８】
本変形例では、延出部３０Ｂの構造が第１実施形態と異なる。
即ち、延出部３０Ｂの外周は、延出方向に凸の曲線３１Ｂと、反延出方向に凸の曲線３２Ｂａ、３２Ｂｂとを含む。部分１３（一端縁１１の一端）から他端縁１２に向けて、反延出方向に凸の曲線３２Ｂａ、延出方向に凸の曲線３１Ｂ、反延出方向に凸の曲線３２Ｂｂが、この順に滑らかに連結されている。
【００５９】
〔変形例２〕
図７は、本発明の別の変形例に係るマスク１Ｃの立体構造を示す斜視図である。
【００６０】
本変形例では、延出部３０Ｃの構造が第１実施形態と異なる。
即ち、延出部３０Ｃの外周は、延出方向に凸の曲線３１Ｃａ、３１Ｃｂを含む。そして、これら延出方向に凸の曲線３１Ｃａと、延出方向に凸の曲線３１Ｃｂとが、連結部位３３において連結されている。この結果、延出部３０Ｃは、略ハート形状となっている。
【００６１】
この連結部位３３は反延出方向に尖がった形状であって、延出方向には点接触部位（例えば、尖形部、角部）が形成されていない。
【００６２】
この変形例によれば、前述した（Ａ）〜（Ｄ）に加えて、次の作用効果が得られる。
（Ｆ）複数の曲線３１Ｃａ、３１Ｃｂを組み合わせて、延出部３０Ｃを略ハート形状としたので、外観上の美感や興趣に優れる。
【図面の簡単な説明】
【００６３】
【図１】本発明の第１実施形態に係るマスクの平面図である。
【図２】図１のマスクの立体状態を示す斜視図である。
【図３】図２のマスクを使用者の顔に装着した状態を示す斜視図である。
【図４】図３の上面を示す平面図である。
【図５】本発明の第２実施形態に係るマスクの立体状態を示す斜視図である。
【図６】本発明の一変形例に係るマスクの立体構造を示す斜視図である。
【図７】本発明の別の変形例に係るマスクの立体構造を示す斜視図である。
【図８】従来例に係るマスクの平面図である。
【図９】図８のマスクの立体状態を示す斜視図である。
【図１０】図９のマスクを使用者の顔に装着した状態を示す斜視図である。
【図１１】図１０の上面を示す平面図である。
【符号の説明】
【００６４】
１、１Ａ、１Ｂ、１Ｃ  マスク
１０、１０Ａ  シート
１１  一端縁
１２  他端縁
２０  耳掛け部
３０、３０Ａ、３０Ｂ、３０Ｃ  延出部
【図１】
2007185301.tif 000003
【図２】
2007185301.tif 000004
【図３】
2007185301.tif 000005
【図４】
2007185301.tif 000006
【図５】
2007185301.tif 000007
【図６】
2007185301.tif 000008
【図７】
2007185301.tif 000009
【図８】
2007185301.tif 000010
【図９】
2007185301.tif 000011
【図１０】
2007185301.tif 000012
【図１１】
2007185301.tif 000013